(57)【要約】【課題】ヘアースタイルのボリューム感を持続させることができるとともに櫛目の乱れを効果的に防止することができる櫛を提供することを課題とする。【解決手段】櫛１は、櫛骨３と、この櫛骨３から伸びる第１の櫛歯１４と、櫛骨１４の表面に形成されていると共に第１の櫛歯１４の基端部に位置する第２の櫛歯１６とを有する。第２の櫛歯１６は第１の櫛歯１４の伸びる方向と同方向に伸びていると共に、第１の櫛歯の歯列に合致して設けられている。【選択図】図１
0003107399.tif 000002
【実用新案登録請求の範囲】
【請求項１】
櫛歯を支持する櫛骨と、
この櫛骨から伸びる第１の櫛歯と、
前記第１の櫛歯の基端部に位置する第２の櫛歯とを有する櫛。
【請求項２】
前記第２の櫛歯は前記第１の櫛歯の伸びる方向と同方向に伸びていると共に、前記第１の櫛歯の歯列に合致して設けられていることを特徴とする請求項１に記載の櫛。
【請求項３】
前記第２の櫛歯は横断面で三角形状をしていると共に隣接する櫛歯との間が連続していることを特徴とする請求項１または請求項２に記載の櫛。
【請求項４】
前記第２の櫛歯は前記櫛骨の両面に設けられていることを特徴とする請求項１から請求項３のいずれかに記載の櫛。
【請求項５】
前記櫛骨は、
櫛歯を有する櫛歯部と、
使用者が把持する把持部とからなり、
前記櫛骨のうち櫛歯部と把持部との少なくとも境界部分には、使用者の指を係止する係止部を有することを特徴とする請求項１から請求項４のいずれかに記載の櫛。
【請求項６】
前記第１の櫛歯同士の間の隙間の基端部は矩形状であることを特徴とする請求項１から請求項５のいずれかに記載の櫛。
【請求項７】
前記把持部は、目盛りを有することを特徴とする請求項１から請求項６のいずれかに記載の櫛。
【請求項８】
前記目盛りはレーザ光線で焼き形成されてなるものであることを特徴とする請求項７に記載の櫛。
【考案の詳細な説明】
【技術分野】
【０００１】
本考案は櫛に関する。
【背景技術】
【０００２】
一般に、理美容用の櫛は、髪を梳いたり、カットしようとする部分の毛束を取り出したりする等、用途や目的に応じて異種類の櫛を使い分けている。
【０００３】
実際のヘヤカットの作業においては、髪を梳く作業と毛束を頭皮からほぼ垂直な方向へ取り出す作業等々が交互に繰り返して頻繁に行われ、そのつど櫛を取り替えていたのでは作業能率の低下を招来してしまう。
【０００４】
そこでそのような不都合を解消するために、例えば周知のごとく、細かい目の歯と、粗い目の歯とを櫛の長手方向にほぼ半分ずつ形成したものや、細かい目の歯と粗い目の歯とを背中合わせにして一体に形成した櫛などが用いられている。これらの櫛は、目的に応じて櫛を持つ手の位置を使用する歯の目に応じて櫛上で変えたり、櫛を回転させたりすることで、櫛歯を使い分ける。よって、一本の櫛でありながら二本分の櫛の機能を有するので作業能率の低下防止に役立つ。
【考案の開示】
【考案が解決しようとする課題】
【０００５】
ところで、ヘアースタイルをボリュームアップしたり、今流行の無造作なヘアースタイルにしたりするためには、歯の粗い櫛やブラシで髪の毛を梳き上げるバックコームを行う。一般にバックコームによるボリューム感を持続させるには、櫛で梳く際の髪の毛の引っ掛かりを良くする（換言すれば髪と櫛との抵抗力を増大）した状態で髪の毛を梳くと共に、毛先をランダムな方向に広げる必要がある。
【０００６】
ところが、上述したように一本に二本の櫛の機能を持たせるべく歯の粗さに大小のある櫛歯部分を有する櫛でバックコームを行うと、梳き入れ作業の最中に一方の目の歯で梳いた髪に他方の目の歯が当たってしまう場合があり得る。すると、髪に付けたせっかくの櫛目が乱れてしまうことが考えられる。また、時間の経過とともにバックコームによるボリューム感は低下してしまう。
【０００７】
本考案は、このような実情に鑑みて考案されたものであって、その解決しようとする課題は、ヘアースタイルのボリューム感を持続させることができるとともに櫛目の乱れを効果的に防止することができる技術を提案することにある。
【課題を解決するための手段】
【０００８】
そこで本考案の櫛は、上述の課題を解決するために以下の手段を採用した。
即ち、本考案の櫛は、櫛歯を支持する櫛骨と、この櫛骨から伸びる第１の櫛歯と、前記第１の櫛歯の基端部に位置する第２の櫛歯とを有する。
【０００９】
本考案はこのような構成であるから、第１の櫛歯によって梳かれた髪は、これが当該第１の櫛歯同士の間の隙間に入ると第１の櫛歯に案内されてその基端部に案内されながら梳かれる。そして、その後第１の櫛歯の基端部に位置する第２の櫛歯に当接するようになるので、髪には、第１の櫛歯による押圧力と第２の櫛歯による押圧力とが連続して作用するようになる。すなわち、櫛で一回当たりに梳いた時に髪に作用する力がそれだけ増大することになるため、バックコームによるボリューム感の持続性が高まる。
【００１０】
前記第２の櫛歯は前記第１の櫛歯の伸びる方向と同方向に伸びていると共に、前記第１の櫛歯の歯列に合致して設けられていると好適である。
このようにすることで、第１の櫛歯によって梳かれた髪は第２の櫛歯に導入され易くなり、第１の櫛歯の押圧力のみしか受けない髪の量を低減できる。
【００１１】
前記第２の櫛歯は横断面で三角形状をしていると共に隣接する櫛歯との間が連続していることが好ましい。第２の櫛歯の横断面が三角形状であると、第２の櫛歯全体の横断面は波形になり、第１の櫛歯で梳いた髪が第２の櫛歯に導入され易くなる。よってこれによっても第１の櫛歯によって梳かれた髪は第２の櫛歯に導入され易くなり、第１の櫛歯の押圧力のみしか受けない髪の量を低減できる。
【００１２】
また、第２の櫛歯の高さ寸法（三角形な横断面における底辺と頂点との高さ寸法）を第１の櫛歯の丈に比べてかなり小さくすれば、髪表面に櫛目を付けるための目櫛として機能させることができる。
【００１３】
前記第２の櫛歯は前記櫛骨の両面に設けられていると好適である。両面に設けられていればどちらの面の第２の櫛歯も利用することができるので櫛の使い勝手が高まる。
【００１４】
前記櫛骨は、櫛歯を有する櫛歯部と、使用者が把持する把持部とからなり、前記櫛骨のうち櫛歯部と把持部との少なくとも境界部分には、使用者の指を係止する係止部を有するようにしてもよい。係止部により櫛の取扱中に櫛が手から脱落しにくくできるため、作業性が向上する。
【００１５】
前記第１の櫛歯同士の間の隙間の基端部は矩形状であることが好ましい。髪の横断面は円形であるから、髪が当該第１の櫛歯同士の間の隙間の基端部に入ると、第１の櫛歯と髪との接触は点接触になる。よって、梳いた時に髪に生じる抵抗力である内部応力が、増大する。
【００１６】
前記把持部には、目盛りを形成しておくことも考えられる。目盛りの間隔としては大まかで十分であり、例えば１ｃｍ間隔の目盛りを形成しておくことが考えられる。目盛りがあることで、髪の毛の長さ調整処理を行う場合に役立つ。また、把持部には櫛歯がないため、目盛りの使用中に櫛歯が髪に引っ掛かってしまうことがない。よって、櫛歯部に目盛りを設けた場合と比べると作業性が向上するといえる。
【００１７】
前記目盛りはレーザ光線で焼き形成されたものが好ましい。レーザ光線によって単に焼き目を付けたものであって、表面に凹凸ができるわけではないから目盛りの使用中に不必要に髪は引っかかることがないようにできる。
【考案の効果】
【００１８】
ヘアースタイルのボリューム感を持続させることができるとともに櫛目の乱れを効果的に防止することができる。
【考案を実施するための最良の形態】
【００１９】
図１〜図８に本考案に係る櫛の具体例を示す。
本考案の櫛１は、櫛歯を支持する櫛骨３を有する。そして、櫛骨３は、櫛歯を有する櫛歯部５と、使用者が把持する把持部７とからなる。
【００２０】
櫛骨３の櫛歯部５は、櫛１の長手方向に対して直交方向に伸びる第１の櫛歯１４と、櫛歯部５の両側の表面１２ａに形成されていると共に第１の櫛歯１４の基端部１４ａ（図５
参照）に位置する第２の櫛歯１６とを有する。
【００２１】
第１の櫛歯１４同士の間には隙間１５（図２参照）があり、隙間１５の基端形状は矩形とされている。
【００２２】
第２の櫛歯１６は、第１の櫛歯１４の伸びる方向と同方向に伸びていると共に、前記第１の櫛歯１４の歯列に合致またはほぼ合致して設けられている山形状の櫛歯である（図５参照）。
【００２３】
第２の櫛歯１６は、横断面で二等辺三角形状をしていると共に隣接する櫛歯同士の間は連続されており、底辺部分で隙間がないようにされている。ただし、第２の櫛歯１６の横断面は三角形状であるから、第２の櫛歯１６は全体で波形をしている。そして横断面が二等辺三角形状故、第２の櫛歯１６の先端に向かうほど第２の櫛歯１６の間は大きな隙間となる。
【００２４】
櫛骨３は、その丈寸法（第１の櫛歯１４が伸びる方向の寸法）Ｌ３（図６参照）が第１の櫛歯１４の丈寸法Ｌ１４（図６参照）よりもかなり小さく、第１の櫛歯１４の丈寸法Ｌ１４が最大１７ｍｍであるのに対し、櫛骨３の丈寸法Ｌ３は最大５ｍｍである。よって櫛骨３に形成される第２の櫛歯１６の丈寸法Ｌ１６（図６参照）も当然丈が小さくなる。これに合わせるように、第２の櫛歯１６の高さ寸法および幅寸法も小さく、図４に示すように、高さ寸法Ｈ１６は１．２ｍｍであり、幅寸法Ｗ１６は１．０７ｍｍである。このように、第２の櫛歯１６は、第１の櫛歯１４よりもかなり小さく（１／１５〜１／５の範囲）、よって髪表面に櫛目を付けるためのいわゆる目櫛の櫛歯として機能させることができる。
【００２５】
また図１や図２に示すよう、前記櫛歯部５との境部分や把持部７内における両側面には、使用者の指を係止する係止部２０を有する。係止部２０は、これを平面で見ると側方へ突出する扁平山形状である（図３参照）。
【００２６】
次に把持部７のうち、腹面７ａ（図２参照）には、その櫛歯部５寄りに波状に起伏（この実施の形態では、起伏が三回連なっている。）するグリップ部２２が形成されている。また、腹面７ａのうちグリップ部２２から櫛歯部５側に掛けてシボ加工２３が施されている。シボ加工とは、周知のごとく木目・岩目・砂目・なし地・幾何学模様の腐食加工のことであるが、この実施形態ではシボの凹凸がそのまま抵抗として働き、作業中の滑り防止に役立つ。
【００２７】
さらに、把持部７の両側面には、目盛り２４を１ｃｍ間隔でレーザ光線で焼き形成してある。目盛りがあれば、例えば髪の毛の長さ調整処理を行う場合に役立つ。また、把持部７には櫛歯がないため、目盛り２４の使用中に櫛歯が髪に引っ掛かってしまうことがない。よって、作業性が向上する。前記目盛りは、レーザ光線で焼き目が形成されているだけであり、表面に凹凸ができるわけではないので、目盛りの使用中に不必要に髪が引っかかることがない。なお、目盛りは必ずしもレーザ光線で形成する必要はなく目盛りとしての機能は奏するものであればなんでもよい。
【００２８】
櫛１はこのような構成であるから、第１の櫛歯１４によって梳かれた髪２６は、これが第１の櫛歯１４同士の間の隙間１５に入ると（図８ａ参照）、第１の櫛歯１４に案内されてその基端部１４ａで梳かれる（図８ｂ参照）。そして、その後第１の櫛歯１４の基端部１４ａに位置する第２の櫛歯１６に当接するようになるので（図８ｃ参照）、髪２６には、第１の櫛歯１４による押圧力と第２の櫛歯１６による押圧力とが連続して作用するようになる。すなわち、櫛１で一回当たりに梳いた時に髪２６に作用する力がそれだけ増大す
ることになるため、バックコームによるボリューム感の持続性が高まる。
【００２９】
第２の櫛歯１６は、第１の櫛歯１４の伸びる方向と同一方向に伸びていると共に（図１，図２，図８）、第１の櫛歯１４の歯列に合致またはほぼ合致して設けられているので、第１の櫛歯１４によって梳かれた髪２６は第２の櫛歯１６に導入され易くなり、第１の櫛歯１４の押圧力のみしか受けない髪２６の量を低減できる。また、梳き入れ作業の最中に背中合わせに異なる目の歯がない。よって、従来技術で述べたように櫛目の乱れを誘発する要因がない。
【００３０】
そして第２の櫛歯１６は横断面で二等辺三角形状をしていると共に隣接する櫛歯１６との間は連続しているので、第２の櫛歯１６全体の横断面は波形になり、第１の櫛歯１４で梳いた髪２６が第２の櫛歯１６に導入され易くなる。よってこれによっても第１の櫛歯１４によって梳かれた髪２６は、第２の櫛歯１６に導入され易くなり、第１の櫛歯１４の押圧力のみしか受けない髪２６の量をさらに低減できる。
【００３１】
さらに、第２の櫛歯１６は目櫛として機能させることができるので、目櫛が必要になった場合でも目櫛に持ち替える必要がない。したがって作業性が向上する。
【００３２】
そして第２の櫛歯１６は、櫛骨３の櫛歯部５の両面に設けられているので、どちらの面も利用できる。よって櫛１の使い勝手が高まる。
【００３３】
また、第１の櫛歯１４同士の間の隙間１５の基端部は矩形状であるから、髪２６が第１の櫛歯１４同士の間の隙間の基端部に入ると、第１の櫛歯１４の基端部１４ａと髪との接触は点接触（図８）になる。よって、梳いた時に髪２６に生じる抵抗力である内部応力が増大するため、バックコームによるボリューム感を持続させ易くなる。
【００３４】
加えて、櫛１は、係止部２０を有するので、櫛１の取扱中に櫛１が手から脱落しにくくできる。したがって、作業性が向上する。
【００３５】
なお、本考案は上述の図示例にのみ限定されるものではなく、本考案の要旨を逸脱しない範囲内において種種変更を加え得ることは勿論である。
【図面の簡単な説明】
【００３６】
【図１】本考案に係る櫛の全体斜視図である。
【図２】図１の正面図である。
【図３】図１の平面図である。
【図４】図３の領域Ｂの拡大図である。
【図５】図２のＡ−Ａ線断面斜視図である。
【図６】図１の側面図である。
【図７】図６の要部拡大断面図である。
【図８】本考案に係る櫛を用いた動作説明図である。
【符号の説明】
【００３７】
１ 櫛
３ 櫛骨
５ 櫛歯部
７ 把持部
７ａ 腹面
１２ａ 両側表面
１４ 第１の櫛歯
１４ａ 基端部
１５ 隙間
１６ 第２の櫛歯
２０ 係止部
２２ グリップ部
２４ 目盛り
２６ 髪
【図１】
0003107399.tif 000003
【図２】
0003107399.tif 000004
【図３】
0003107399.tif 000005
【図４】
0003107399.tif 000006
【図５】
0003107399.tif 000007
【図６】
0003107399.tif 000008
【図７】
0003107399.tif 000009
【図８】
0003107399.tif 000010